(57)【要約】【課題】静電駆動素子の駆動電圧の増大化を招来することなく、またブレーズ型構造に適用可能な構成をもってリボン間のショートを抑制する。【解決手段】第１のリボン１０ａ〜１０ｄと第２のリボン１１ａ〜１１ｄとが交互に配置され、静電気により第１のリボン１０ａ〜１０ｄが変形する静電駆動素子１であって、その第２のリボン１１ａ〜１１ｄの長さが、第１のリボン１０ａ〜１０ｄの長さに比べて短くすることによって、リボンの横方向の復元力を高める。【選択図】図２
2007079443.tif 000002
【特許請求の範囲】
【請求項１】
第１のリボンと第２のリボンとが交互に配置され、静電気により前記第１のリボンが変形する静電駆動素子であって、
前記第２のリボンの長さが、前記第１のリボンの長さに比べて短くされて成る
ことを特徴とする静電駆動素子。
【請求項２】
前記第１のリボンを支持する支持体と比較して、前記第２のリボンを支持する支持体が、前記第２のリボンの長手方向において、より中央部に近い位置に配置されて成る
ことを特徴とする請求項１記載の静電駆動素子。
【請求項３】
前記第２のリボンに、前記第１のリボンに印加する最大の駆動電圧よりも低い電圧を印加する第２のリボン用電源が接続されて成る
ことを特徴とする請求項１記載の静電駆動素子。
【請求項４】
前記第１及び第２のリボンが、その支持体による支持方向を軸として傾斜されて成るブレーズ構造部を有する
ことを特徴とする請求項１記載の静電駆動素子。
【請求項５】
前記第１及び第２のリボンの支持体が、前記ブレーズ構造部の外側に形成されて成る
ことを特徴とする請求項４記載の静電駆動素子。
【請求項６】
前記第１及び第２のリボンに反射領域が設けられ、
前記第１のリボンの静電駆動により、前記第１のリボンと前記第２のリボンとで回折光量を変調する光回折変調素子が構成される
ことを特徴とする請求項１記載の静電駆動素子。
【請求項７】
光源からの照射光を光回折変調素子に照射し、前記光回折変調素子からの射出光により表示手段上に画像を形成する画像表示装置であって、
前記光回折変調素子は、反射領域を有する第１のリボンと第２のリボンとが交互に配置され、静電気により前記第１のリボンが変形して回折格子が構成され、その回折光量の変化により光が変調されて成り、
前記光回折変調素子を構成する前記第２のリボンの長さが、前記第１のリボンの長さに比べて短くされて成る
ことを特徴とする画像表示装置。
【請求項８】
前記第１のリボンに駆動電圧を印加する第１のリボン用電源と共に、前記第２のリボンに、前記第１のリボンに印加する最大の駆動電圧よりも低い電圧を印加する第２のリボン用電源とが設けられて成る
ことを特徴とする請求項７記載の画像表示装置。
【発明の詳細な説明】
【技術分野】
【０００１】
本発明は、例えば光を回折又は反射させる回折格子型光バルブなどの光回折変調素子に適用して好適な静電駆動素子及びこれを用いた画像表示装置に関する。
【背景技術】
【０００２】
プロジェクターやプリンターなどの画像形成装置において、画像の解像度を上げる手法として、１次元の画像表示素子からの光束を光走査手段で走査しながら画像形成手段に投影し、２次元画像を形成する方法が知られている。１次元の画像表示用の光変調素子として、米国Ｓｉｌｉｃｏｎ  Ｌｉｇｈｔ  Ｍａｃｈｉｎｅ社が開発した静電駆動型の光回折変調素子、いわゆる回折ライトバルブ（ＧＬＶ：ｇｒａｔｉｎｇ  ｌｉｇｈｔ  ｖａｌｖｅ）が知られている（例えば特許文献１参照。）。
この光回折変調素子は、光の回折を利用したマイクロマシン位相反射型回折格子より成り、光スイッチングの作用とともに、光の階調を電気的にコントロールすることが可能となっている。そしてこの光回折変調素子を多数配置して１次元アレイ構造とし、光変調されたライン状の光をスキャンミラーで走査することによって、２次元画像が得られる。
そのため、通常の２次元表示装置と比較して、このＧＬＶ型光回折変調素子を用いる場合は、画面の縦方向の画素数は１次元アレイの画素数と同じになるが、横方向は少なくとも１画素幅あれば良いので、２次元画像表示に必要な画素（ピクセル）数は少なくて済む。またこの光回折変調素子は、その光変調機能を発現する領域の寸法を小さく構成することが可能であり、高い解像度、高速なスイッチング速度及び広い帯域幅の表示が可能である。さらに、低い印加電圧で動作されるので、非常に小型化された表示装置を実現することが期待されている。
【０００３】
このＧＬＶ型光回折変調素子の動作原理を、図７〜図１０を参照して簡単に説明する。図７は、１次元画像を表示するＧＬＶ型の光回折変調素子の一例の要部の概略斜視構成図である。図７に示すように、光回折変調素子３１は、シリコン等より成る基板上に、ポリシリコン薄膜などから成る共通電極３２が形成され、この共通電極３２と所定の間隔を保って、条帯（ストリップ）状の可動リボン３０ａ〜３０ｄと、不動リボン３１ａ〜３１ｃとが交互に形成されている。可動リボン３０ａ〜３０ｄは、駆動電圧電源３３に接続され、不動リボン３１ａ〜３１ｃは、固定電位とされる。また、図示しないがこれら可動リボン３０ａ〜３０ｄ、不動リボン３１ａ〜３１ｃの少なくとも上面はアルミ又はアルミ合金等より成る反射膜が形成されており、反射部材として作用する。
光回折変調素子１の動作時には、可動リボン３０ａ〜３０ｄが駆動電圧に応じて、反射膜の反射面と直交する方向に移動可能であり、可動リボン３０ａ〜３０ｄの反射面の高さ（例えば基板に対する距離）を変えることができる。不動リボン３１ａ〜３１ｃは固定されており、反射面の高さは不変である。
なお、１つの画素（ピクセル）に対応する光回折変調素子内の可動リボン及び不動リボンの数は適宜変更可能である。
【０００４】
この光回折変調素子においては、各リボンが非動作時に表面がほぼ一平面上に配置される通常型構成のＧＬＶと、各リボンが基準面（例えば光回折変調素子の基板面）から所定の角度をもって傾斜されて配置されるいわゆるブレーズ型ＧＬＶとが提案されている。これらの各タイプの光回折変調素子の一例の概略断面構成図を図８及び図９に模式的に示す。図８及び図９において、図７と対応する部分には同一符号を付して重複説明を省略する。図８及び図９の例においては、一例として１画素に対応する光回折変調素子の可動リボン及び不動リボンの数を３本ずつとした場合を示す。
【０００５】
通常型では、図８に動作時の一例を示すように、可動リボン３０ａ〜３０ｃの移動量ｚ１を例えば入射光の波長λに対しλ／４とすると、入射方向と逆向きに反射される０次回折光（図示せず）と、±１次回折光Ｌｒ（＋１）及びＬｒ（−１）が回折光として反射される。例えば＋１次回折光のみを利用することにより、１本の回折光だけを空間フィルタを通してスクリーン上に結像し、画像表示用に利用することができる。非動作時（駆動電圧をゼロとする場合）には＋１次回折光は生じないため、このオフ状態は画面の暗状態に対応し、表示画面が黒になる。すなわち、可動リボン３０ａ〜３０ｃへの駆動電圧を外部からの画像情報に対応して調整して、移動量ｚ１を制御することによって、画素のオン／オフとこの間の階調表示が可能となる。
【０００６】
一方ブレーズ型では、図９に示すように、基準面Ｓ（図示しないが例えば光回折変調素子の基板面と平行な面）から例えば角度θをもって各リボン３０ａ〜３０ｃ、３１ａ〜３１ｃを傾斜して配置する。この時角度θは好適にはリボン１本分の周期に対して１／４λとなる。そして、動作時には、一対の可動リボン３０ａ〜３０ｃと不動リボン３１ａ〜３１ｃの表面が一平面を成すように、可動リボン３０ａ〜３０ｃを移動させる。このときその移動量ｚ２は、入射光の波長λに対してλ／４（つまり２本のリボン周期ごとに１／２λの段差）となるように動作させると、＋１次回折光のみが出射される。従って、この＋１次回折光を用いて、１本の回折光だけを空間フィルタを通してスクリーン上に結像することができる。
【０００７】
このように反射回折光のうち１本の回折光を利用する構成とすることにより、光利用効率を高めることができるためプロジェクター等の画像表示装置用としてブレーズ型ＧＬＶを用いることが有望視されている。
【０００８】
【特許文献１】米国特許公開2003/0035189A1号明細書
【発明の開示】
【発明が解決しようとする課題】
【０００９】
上述したように、静電駆動型の光回折変調素子、いわゆるＧＬＶを用いる場合は、他の光変調素子であるＬＣＤ（液晶表示）パネルなどの光利用効率が３０％〜５０％であることに比べると利用効率は高くなるという利点があり、上述のブレーズ型構成のＧＬＶ素子の光利用効率は現状にて７０％に達する。
しかし、光源に高価なレーザを利用する場合においては、光変調素子の利用効率をより高めることが、プロジェクターなどへの応用を考えると経済的に望ましい。
【００１０】
ここでＧＬＶ型の光回折変調素子の効率をより高めるためには、そのリボン上の反射膜の反射率を高める方法と共に、リボンとリボンのギャップ（間隔）を狭めることが有効である。
特に、各リボンが、その支持方向を軸として傾けられた構造とするブレーズ構造を用いて、１次回折光を利用する光学系を構成した場合、リボン間のギャップを仮にゼロとすることができればＧＬＶの光回折変調素子としての光利用効率は、理論的にはリボンの表面の反射材の反射効率そのものと同一となる。
図１０にこの様子を示す。図１０において、実線Ｒ１、Ｇ１及びＢ１はそれぞれ通常型のＧＬＶにおいて赤、緑及び青の各波長に対するギャップ間隔と１次回折効率の変化を示す。破線Ｒ２、Ｇ２及びＢ２はブレーズ型のＧＬＶにおいて赤、緑及び青の各波長に対するギャップ間隔と１次回折効率の変化を示す。図１０から、ギャップ間隔を狭くする程１次回折効率が向上し、特にブレーズ型では、リボンの反射領域の反射効率と同一となることがわかる。
このため光利用効率向上の観点からはリボンギャップを可能な限りゼロに近づけることが望ましい。
【００１１】
しかしながら、リボン間のギャップを狭めていくと、電圧印加時に本来下部電極方向に湾曲するべきリボンが、図１１にその概略斜視構成図を示すように、横方向（リボンの配列方向）に変形し、隣接リボンとショートしてしまい、このショート部３６において局所電流による融着を起こして素子に非可逆的な損傷を与える場合がある。図１１において、図７〜図９と対応する部分には同一符号を付して重複説明を省略する。この例では、可動リボン３０ａ〜３０ｄ、不動リボン３１ａ〜３１ｄの各４本ずつを設けた例で、それぞれ支持体３４及び３５に支持される。
【００１２】
このような非可逆的な隣接リボンとのショートを防ぐ方法としては、リボン自身の横方向に対する復元力を上げることが挙げられ、例えばリボンを短くすることが考えられる。ところが可動リボンを短くすると下部電極に対する湾曲に対しても復元力が高まり、結果として駆動電圧が上がってしまい、リボンを駆動する回路の高耐圧が要求されるなどの不都合が生じる。
また不動リボンのみを空中に懸架する構造とせず、リボンの下を充填することにより不動リボンの復元力を増す方法も考えられるが、ブレーズ構造を導入することが困難であるとか、またリボンの下が充填されている不動リボンとリボンの下が空洞となっている可動リボンとの間にわずかな段差が生じ、これが常に回折光の発生を生みプロジェクターの光変調素子として利用した場合にはコントラストの低下となって現れるという問題が生じる。
【００１３】
以上の問題に鑑みて、本発明は、静電駆動素子の駆動電圧の増大化を招来することなく、またブレーズ型構造に適用可能な構成をもってリボン間のショートを抑制することを目的とし、ショートによる不具合を発生しにくく、良好な画像の表示が可能な画像表示装置を提供することを目的とする。
【課題を解決するための手段】
【００１４】
上記課題を解決するため、本発明は、第１のリボンと第２のリボンとが交互に配置され、静電気により第１のリボンが変形する静電駆動素子であって、その第２のリボンの長さが、第１のリボンの長さに比べて短くされる構成とする。
また本発明による上述の静電駆動素子は、その第２のリボンの長さを第１のリボンより短くする手法として、第１のリボンを支持する支持体と比較して、第２のリボンを支持する支持体が、この第２のリボンの長手方向において、より中央部に近い位置に配置されて成る構成としてもよい。
【００１５】
また本発明による上述の静電駆動素子は、第２のリボンに、第１のリボンに印加する最大の駆動電圧よりも低い電圧を印加する第２のリボン用電源が接続される構成としてもよい。
【００１６】
また、本発明による画像表示装置は、その光回折変調素子として、上述の静電駆動素子を用いる構成とする。すなわち本発明は、光源からの照射光を光回折変調素子に照射し、光回折変調素子からの射出光により表示手段上に画像を形成する画像表示装置であって、光回折変調素子は、反射領域を有する第１のリボンと第２のリボンとが交互に配置され、静電気により第１のリボンが変形して回折格子が構成され、その回折光量の変化により光が変調されて成る。そして光回折変調素子を構成する第２のリボンの長さが、第１のリボンの長さに比べて短くされる構成とする。
【００１７】
上述したように本発明による静電駆動素子は、第２のリボンを第１のリボンより短くする構造を導入するものである。リボンの横方向の復元力は、近似的に実効的なリボン長に反比例して増強される。したがって、第１のリボンを従来同様の低電圧で駆動することを可能にしたまま、隣接リボンとの静電力に対する復元力を増加させ、これにより隣接リボンのショートに対する素子耐性を向上させることができる。
【００１８】
また、第２のリボンを支持する支持体を、第１のリボンを支持する支持体よりも、第２のリボンの長手方向において中央側に近い位置に配置することによって、第２のリボンの実効的な長さを短くすることができ、より簡易な構成をもって、第２のリボンを第１のリボンよりも短く構成することができる。
【００１９】
また、本発明において、第２のリボンに対して、第１のリボンに印加する最大の駆動電圧よりも低い電圧を第２のリボン用電源により印加することによって、後述するように、実効的な第１のリボンと第２のリボンとの印加電圧の差を低減化し、隣接リボン間に働く静電力を低減化して、更に隣接リボンのショートの発生を抑制することができる。
【００２０】
また、このような本発明によれば、静電駆動素子を光回折変調素子として用いる場合の光利用効率に直接影響を与えるリボン間ギャップを狭めることが可能となり、光回折変調素子としての光利用効率を改善することができる。すなわち、本発明の画像表示装置によれば、光回折変調素子の不具合の発生を抑制し、光利用効率を改善できることから、良好な画像の表示が可能となる。
【発明の効果】
【００２１】
以上説明したように、本発明によれば、静電駆動素子の隣接するリボン同士のショートに対する耐性を向上させることができる。
また、本発明の画像表示装置によれば、本発明の静電駆動素子を光回折変調素子として用いることにより、光回折変調素子の不具合の発生を抑制し、良好な画像の表示が可能な画像表示装置を提供することができる。
【発明を実施するための最良の形態】
【００２２】
以下本発明を実施するための最良の形態の例を説明するが、本発明は以下の例に限定されるものではない。
〔１〕第１の実施形態例
図１は、本発明の第１の実施形態例における画像表示装置の一例の概略構成図である。
この図１に示す画像表示装置２０は、光源２１、照明光学系２２、入射光が１次元画像を表示する光に変調される光回折変調素子２３、この光回折変調素子２３の後述する第１のリボンと第２のリボンとにそれぞれ電圧を印加する第１のリボン用電源２９ａ及び第２のリボン用電源２９ｂ、更に対物レンズ２４ａ、空間フィルタ２５、投影レンズ２４ｂ、スキャンミラー２６を有し、スキャンミラー２６により走査される画像表示光がスクリーン２７に照射される構成とされる。
【００２３】
光源２１は、例えば半導体レーザなどのコヒーレントな光を射出する発光装置が用いられる。カラー画像表示を行う場合は、３原色である赤、緑及び青色の光束を射出する光源をそれぞれ含む構成としてもよい。照明光学系２２は、光回折変調素子２３の反射領域の形状に合わせて、光源２１からの光ビームスポット径やスポット形状を変換して光回折変調素子２３に照射する。
本実施形態例においては、光回折変調素子２３として本発明構成の静電駆動素子が用いられ、第１のリボン及び第２のリボンを有する構成とされる。
【００２４】
この光回折変調素子２３は、前述の図８及び図９において説明した例と同様に、可動リボンとする第１のリボンに駆動電圧を印加しない状態では、例えば隣接する第２のリボンとこの第１のリボンが略同一平面に配置され、照明光学系２２から入射された光をほぼ反射する。これがオフ状態となる。また、第１のリボンに駆動電圧を印加すると、静電力により第１のリボンが下部電極側に移動し、第２のリボンと所定の光路差を生じる段差が形成され、回折格子として作用する。光が入射されると、回折作用により±１次回折光などの回折光２８ａ、２８ｃが射出され、０次光２８ｂと異なる各方向に進行する。この状態がオン状態となる。
そして、図１に示す光回折変調素子２３として利用する場合は、例えば１０８０画素が１次元に配列されており、表示する画像に対応する駆動電圧の印加によって階調動作し、入射した照明光を反射又は回折し、反射光又は回折光を射出する。
【００２５】
対物レンズ２４ａは、光回折変調素子２３からの反射光２８ｂ、又は回折光２８ａ及び２８ｃを平行光に変換して、空間フィルタ２５に照射する。
そしてこの空間フィルタ２５において、対物レンズ２４ａから射出された平行光に含まれている±１次回折光２８ａ、２８ｃが透過され、対物レンズ２４ａから射出された反射光又は０次光２８ｂが遮蔽される。
透過した±１次回折光２８ａ、２８ｃはさらに投影レンズ２４ｂによってスクリーン２７上に像を結ぶように結像され、途中設けられたガルバノミラー等より成るスキャンミラー２６によって走査され逐次的に１次元画像から２次元画像への展開が行われ、スクリーン２７において２次元の画像が表示される。
【００２６】
次に、この光回折変調素子２３として適用可能な本発明構成の静電駆動素子の一実施形態例について図２の概略斜視構成図を参照して説明する。
図２に示すように、この静電駆動素子１は、第１のリボン１０ａ〜１０ｄと第２のリボン１１ａ〜１１ｄとが交互に配置され、静電気により第１のリボン１０ａ〜１０ｄが変形する構造とする。具体的には、基板上に下部電極が形成され（図示せず）、その上に、第１のリボン１０ａ〜１０ｄ及び第２のリボン１１ａ〜１１ｄが支持体１４及び１５によりそれぞれ支持されて懸架される構成とすることができる。図示しない基板及び下部電極、更に各リボンと反射領域、支持体などの材料は、通常の静電駆動素子と同様の材料を用いることができる。
【００２７】
この場合、上述したように下部電極（図示せず）を接地すると共に、例えば第２のリボン１１ａ〜１１ｄを接地して、第１のリボン１０ａ及び１０ｂ、１０ｃ及び１０ｄに対し第１のリボン用電源１３Ａ及び１３Ｂからそれぞれ駆動電圧を印加することによって、静電力により第１のリボン１０ａ及び１０ｂ、１０ｃ及び１０ｄがそれぞれ変調信号に対応する移動量をもって、下部電極側にそれぞれ移動する構成とする。
すなわちこの場合、第１のリボン１０ａ及び１０ｂと第２のリボン１１ａ及び１１ｂより成る４本のリボン、また第１のリボン１０ｃ及び１０ｄと第２のリボン１１ｃ及び１１ｄより成る４本のリボンで１画素（ピクセル）分とした例を示す。１ピクセルに対応するリボンの数はこれに限定されるものではなく、その他２本、６本・・など種々変更することが可能である。
そしてこれら第１のリボン１０ａ〜１０ｄ及び第２のリボン１１ａ〜１１ｄの長手方向中央部には反射領域１７が設けられ、第１のリボン１０ａ〜１０ｄの静電駆動により、この第１のリボン１０ａ〜１０ｄと第２のリボン１１ａ〜１１ｄとで回折光量を変調する光回折変調素子を構成する。
【００２８】
なお、光回折変調素子２３の形状としては、上述の図２に示すように、各リボンを基板と平行に形成し、オフ状態において略同一平面を形成する形状に限定されるものではなく、基板に対して各リボンが所定の角度を有する構造であるいわゆるブレーズ型の静電駆動素子であってもよい。
また、オフ状態において、上述したように第１のリボンと第２のリボンとの反射光の光路差が０となり、各リボンが略同一平面を形成する状態以外にも、例えば光路差が入射波長λの整数倍になるように、つまりλ／４の偶数倍の段差を第１のリボンと第２のリボンとの間において形成してもよい。また、オン状態において形成されるリボン間の段差は、λ／４の奇数倍であればよい。
【００２９】
そして本発明においては、図２に示すように、光回折変調素子として用いる静電駆動素子１の第２のリボン１１ａ〜１１ｄの長さを、第１のリボン１０ａ〜１０ｄの長さに比べて短くする構成とする。第１のリボン１０ａ〜１０ｄは支持体１４に、第２のリボン１１ａ〜１１ｄは支持体１５にそれぞれ支持されて、長手方向に引っ張る張力とともに、その長さが規定される。
このように、第２のリボン１１ａ〜１１ｄを比較的短く構成することにより、上述したように、リボンの横方向の復元力は近似的に実効的なリボン長に反比例して増強されるので、第２のリボン１１ａ〜１１ｄの相対的な横方向（隣接するリボン方向）の復元力、すなわち静電力による変形に対する復元力を高めることができる。したがって、第１のリボン１０ａ〜１０ｄとの間隔をより狭小化しても、非可逆的な隣接リボンとのショートを防ぐことが可能となり、よって光回折変調素子として利用する場合に、隣接リボン間のギャップを狭小化でき、その光利用効率を高めることが可能となる。
またこの場合、第１のリボンの長さは変わらないため、下部電極方向への復元力に変化はなく、駆動電圧の上昇を招くことを回避できる。
更に、隣接リボン間のショートは製造工程において発生する静電気などによっても引き起こされるため、これに対する耐性を向上させることは製造上の歩留まりを向上させ、また静電駆動素子の信頼性の向上にも資するものとなる。
【００３０】
〔２〕第２の実施形態例
図３の概略斜視構成図を参照して、本発明による静電駆動素子の一実施形態例を説明する。図３において、図２と対応する部分には同一符号を付して重複説明を省略する。この例においては、第２のリボンの実効的な長さを短くする構造として、上述の図２に示すように、第２のリボンのみを実際に短く形成するのではなく、図３に示すように、第２のリボン１１ａ〜１１ｄのみ実効リボン長が短くなるように、リボンの長手方向においてより中央に近い位置に支持体１８を挿入する。すなわち、支持体１４及び１５はそれぞれ第１のリボン１０ａ〜１０ｄと第２のリボン１１ａ〜１１ｄの中央位置から同じ長さをもって配置したまま、第２のリボン１１ａ〜１１ｄのみに、長手方向の中央位置よりに、別体の支持体１８を配置するものである。
【００３１】
このような構成とすることによって、上述の第１の実施形態例において説明した静電駆動素子と同様に、第２のリボンの隣接リボンとの間に働く静電力に対する復元力が高められ、非可逆的な隣接リボンとのショートを抑制することが可能となり、また光回折変調素子として利用する場合に、リボン間のギャップを狭小化することができ、その光利用効率を高めることができる。
またこの場合、その製造工程において各リボンのパターン形状はそのままで、支持体を設ける際の例えば露光パターンを変更するのみによって製造可能であり、工程数の増加を招くことなく比較的簡易に本発明構成の静電駆動素子を製造することが可能となる。
【００３２】
〔３〕第３の実施形態例
図４を参照して、本発明による静電駆動素子の他の実施形態例を説明する。図４において、図２及び図３と対応する部分には同一符号を付して重複説明を省略する。
この例においては、図４に示すように、第１のリボン１０ａ〜１０ｄ、第２のリボン１１ａ〜１１ｄの両端部に段差部３１を設けて、反射領域１７が段差部３１を設ける側が基板側に近づいて傾斜するいわゆるブレーズ構造３０を構成した場合である。この段差部３１は、各リボンの長手方向の両端部、すなわち反射領域１７の外側に設けられ、各リボンの幅方向において傾斜させる側（基板に近づける側）に所定の幅をもって設けるものである。段差部３１の形成位置、幅及び深さによって、ブレーズ構造３０における各リボンの傾斜角度を調整することが可能である。
【００３３】
更にこの例においては、各リボンの支持体として、リボンを構成する材料を基板に達する孔部内に被着して支持構造とするいわゆるポスト構造を採用した例を示す。すなわちこの場合、このポスト構造とした第１のリボン１０ａ〜１０ｄの支持体３２に対し、第２のリボン１１ａ〜１１ｄの支持体３３を、その長手方向において、より中央側に位置するように配置する。
このような構成とすることによって、上述の第１及び第２の実施形態例と同様に、第２のリボン１１ａ〜１１ｄの実効的な長さが短くなり、これにより隣接リボンとの間に働く静電力に対する復元力が高められ、非可逆的な隣接リボンとのショートを抑制することが可能となる。更にまた、光回折変調素子として利用する場合に、リボン間の間隔を狭小化することができ、その光利用効率を高めることができる。
特に、前述の図１０において説明したように、リボン間ギャップを狭めることによる光利用効率の改善効果は、この実施形態例のようにブレーズ構造をもつ場合において顕著であることから、この第３の実施形態例の構造を採用することによって、より高い光利用効率を得ることができる。
なお、リボンを傾けるブレーズ構造３０及び支持体３２及び３３の構造は、この例に限定されるものではなく、その他の種々の構造を採用することができる。
【００３４】
以上説明したように、本発明の静電駆動素子において、第２のリボンを駆動する第１のリボンより短くすることによって、第２のリボンの横方向の復元力が高められる。
なお、隣接リボンとのショートによる非可逆的な構造破壊を起こす臨界的なリボン間の距離すなわちギャップは、第２のリボンの短縮を行わない場合に比べた相対値として、近似的に以下の数１により与えられる。
ここでＬは駆動する第１のリボンに対する第２のリボンの実効長の相対値であり、例えば第２のリボンが第１のリボンの半分の長さの時にはＬ＝０．５となる。
【００３５】
【数１】
2007079443.tif 000003
【００３６】
上記数１より求めた第１のリボン（駆動するリボン）と第２のリボン（駆動しないリボン）の長さの比に対する臨界ギャップ（リボン間距離）の相対値を図５に示す。
この図５から、第１及び第２のリボンの長さが同じである従来例と比較して、例えば第２のリボンの有効的な長さを半分とすることにより、臨界リボン間ギャップを従来に比べて１０％程度低減化することができることがわかる。そしてこの場合、前述の図１０から、このリボン間のギャップの狭小化によって、回折光のロスを約３％低減できることがわかる。
【００３７】
〔４〕第４の実施形態例
次に、図６を参照して本発明による静電駆動素子の他の実施形態例について説明する。図６において、図４と対応する部分には同一符号を付して重複説明を省略する。
この例においては、図６に示すように、第２のリボン１１ａ及び１１ｂと、１１ｃ及び１１ｄに対して、第２のリボン用電源１９から、第１のリボン１０ａ〜１０ｄに印加する最大電圧よりも低い電圧を印加する構成とするものである。
【００３８】
このように、第２のリボンに対して電圧を印加することにより、隣接する第１のリボンとの間にかかる静電気力を少なくし、これにより隣接リボンが接触することを、より抑制することができる。
一方、第２のリボンに電圧をかけると、第２のリボン自身も下部電極方向に沈み込んでしまい、第１のリボンとの段差が確保できなくなることから、第１のリボンに対してより多くの電圧を印加しないと同一の回折光量を確保できない恐れがある。
【００３９】
しかしながら、リボンの沈み込み量は、近似的に電圧の二乗に比例し、リボン長の二乗に反比例する。
このため、例えば従来の静電駆動素子において、すなわちリボン長は第１のリボンと第２のリボンで同じで、かつ第２のリボンを接地している構造の静電駆動素子において、第１のリボンに２０Ｖ加えると回折光を最大にするに十分な沈み込み量、すなわち第１のリボンにおける照射波長λの１／４の移動量を確保できる場合を考える。ここで、仮に第２のリボンに２．５Ｖをかけたとすると、それによって生じる第２のリボンの沈みこみ量は、
（２．５Ｖ／２０Ｖ）２×（１／４λ）＝（１／６４）×（１／４λ）
となり、この分の段差を第１のリボンで補うために、第１のリボンに付加的にかける必要のある電圧は、
√［｛（１／６４）×（１／４λ）＋（１／４λ）｝／（１／４λ）］×２０Ｖ
＝２０．１６Ｖ
となる。
この結果から、第２のリボンに２．５Ｖの電圧を印加する場合は、回折量を同等とするためには、第１のリボンにおおよそ＋０．１６Ｖの電圧を余分に印加する必要があることがわかる。しかしながら、これにより隣接リボン間の電圧の差は、２０Ｖであるのに対して、１７．６６Ｖ（＝２０．１６−２．５）となり、すなわち、隣接リボン間の電位差を２．３４Ｖ（＝２０−１７．６６）低減できることを示している。
【００４０】
更にこの例において、図６に示すように、第２のリボン１１ａ〜１１ｄの長さを第１のリボン１０ａ〜１０ｄの長さの半分とする場合は、第１のリボンに対して上述の例と同等の０．１６Ｖの電圧を付加するのに対し、第２のリボンに対しては、４倍の１０Ｖの電圧を印加することが可能となり、隣接リボン間の電位差を原理的な最小値となる最大駆動電圧のほぼ半分である１０．１６Ｖにまで低減し、ショートに対してほぼ倍のマージンを確保することが可能となる。このマージンを隣接リボン間距離の短縮に振り向けることによって素子の光回折効率をさらに高めることが可能となる。
【００４１】
このような静電駆動素子１を前述の図１に示す画像表示装置２０において光回折変調素子２３として用いることによって、すなわち図１に示す第２のリボン用電源２９ｂから適切な電圧を第２のリボンに印加することによって、隣接するリボン間のショートを更に低減化することができ、光利用効率の高い光回折変調素子を用いることが可能となり、光利用効率に優れ、良好な表示が可能な画像表示を提供することができることとなる。
【００４２】
以上説明したように、本発明によれば、静電駆動素子の隣接リボン間のショートを低減化することができ、臨界リボン間のギャップの狭小化が可能となり、これによって、光回折変調素子として利用する場合に、その光利用効率を高めることができる。
また、特に第２のリボンに対して、第１のリボンに印加する最大駆動電圧よりも低い電圧を印加することによって、第１のリボンと第２のリボンに印加する電圧の差を低減化することができ、より隣接リボン間のショートを抑制することができる。
隣接リボン間のショートは製造工程において発生する静電気などによっても引き起こされるため、これに対する耐性を向上させることは製造上の歩留まりを向上させ、また静電駆動素子の信頼性の向上にも資するものとなる。
更に、このような静電駆動素子を光回折変調素子として用いる本発明の画像表示装置によれば、光利用効率に優れ、良好な表示が可能な画像表示装置を提供することができる。
【００４３】
なお、本発明は、上述の各実施形態例において説明した例に限定されるものではなく、静電駆動素子のリボンの実効的な長さに関する構造以外の各部の構造や、各部の材料構成など、また画像表示装置の各部品や照明系、投影光学系などにおいて、本発明構成を逸脱しない範囲において種々の変形、変更が可能であることはいうまでもない。
【図面の簡単な説明】
【００４４】
【図１】本発明の画像表示装置の一実施形態例の概略構成図である。
【図２】本発明の静電駆動素子の一実施形態例の概略斜視構成図である。
【図３】本発明の静電駆動素子の一実施形態例の概略斜視構成図である。
【図４】本発明の静電駆動素子の一実施形態例の概略斜視構成図である。
【図５】静電駆動素子の第２のリボン（駆動しないリボン）と第１のリボン（駆動するリボン）の長さの比と臨界リボンギャップとの関係を示す図である。
【図６】本発明の静電駆動素子の一実施形態例の概略斜視構成図である。
【図７】従来の光回折変調素子の一例の概略斜視構成図である。
【図８】従来の光回折変調素子の一例の回折態様の説明図である。
【図９】従来の光回折変調素子の一例の回折態様の説明図である。
【図１０】回折光変調素子のギャップ間隔と１次光回折効率の関係を示す図である。
【図１１】従来の光回折変調素子のショートした状態を示す概略斜視構成図である。
【符号の説明】
【００４５】
１．静電駆動素子、１０ａ．第１のリボン、１０ｂ．第１のリボン、１０ｃ．第１のリボン、１０ｄ．第１のリボン、１１ａ．第２のリボン、１１ｂ．第２のリボン、１１ｃ．第２のリボン、１１ｄ．第２のリボン、１２．共通電極、１３Ａ．第１のリボン用電源、１３Ｂ．第１のリボン用電源、１４．支持体、１５.支持体、１６．ショート部、１７．反射領域、１８．支持体、１９．第２のリボン用電源、２０．画像表示装置、２１．光源、２２．照明光学系、２３．光回折変調素子、２４ａ．対物レンズ、２４ｂ．投影レンズ、２５．空間フィルタ、２５ａ．回折部、２５ｂ．光透過部、２５ｃ．遮光部、２６．スキャンミラー、２７．スクリーン、２８ａ．回折光、２８ｃ．回折光、２８ｂ．反射光、２９ａ．第１のリボン用電源、２９ｂ．第２のリボン用電源、３０．ブレーズ構造、３１．段差部、３２．支持体、３３．支持体
【図１】
2007079443.tif 000004
【図２】
2007079443.tif 000005
【図３】
2007079443.tif 000006
【図４】
2007079443.tif 000007
【図５】
2007079443.tif 000008
【図６】
2007079443.tif 000009
【図７】
2007079443.tif 000010
【図８】
2007079443.tif 000011
【図９】
2007079443.tif 000012
【図１０】
2007079443.tif 000013
【図１１】
2007079443.tif 000014